(57)【特許請求の範囲】
【請求項１】
核燃料集合体を収納した状態で貯蔵ピット内の水中に整列配置して貯蔵される核燃料貯蔵用ラックであって、
ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、
水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、
前記ロッキング抑止機構は、前記ベースプレートに繋がって支持され、前記ベースプレートと前記支持脚部の下端の上下方向の間に配設されるとともに横方向に延設された抵抗板を備えて構成されていることを特徴とする核燃料貯蔵用ラック。
【請求項２】
核燃料集合体を収納した状態で貯蔵ピット内の水中に整列配置して貯蔵される核燃料貯蔵用ラックであって、
ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、
水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、
前記ロッキング抑止機構は、前記支持脚部の下端を横方向外側に延出させるように設けられた抵抗板を備えて構成されていることを特徴とする核燃料貯蔵用ラック。
【請求項３】
核燃料集合体を収納した状態で貯蔵ピット内の水中に整列配置して貯蔵される核燃料貯蔵用ラックであって、
ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、
水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、
前記ロッキング抑止機構は、前記セル格納部に一端を繋げて支持され、前記セル格納部の外面と横方向に隙間をあけて上方に延設された抵抗板を備えて構成されていることを特徴とする核燃料貯蔵用ラック。
【請求項４】
核燃料集合体を収納した状態で貯蔵ピット内の水中に整列配置して貯蔵される核燃料貯蔵用ラックであって、
ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、
水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、
前記ロッキング抑止機構は、前記ベースプレートに上端を繋げて下方に突設されるとともに、前記ベースプレートの下方の空間を囲繞するように延設された抵抗板を備えて構成されていることを特徴とする核燃料貯蔵用ラック。
【請求項５】
核燃料集合体を収納した状態で貯蔵ピット内の水中に整列配置して貯蔵される核燃料貯蔵用ラックであって、
ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、
水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、
前記ロッキング抑止機構が、前記ベースプレートに取り付けて、前記核燃料貯蔵用ラックの重心位置を下方に偏心させる重量物を備えて構成されていることを特徴とする核燃料貯蔵用ラック。
【請求項６】
請求項２記載の核燃料貯蔵用ラックにおいて、
前記抵抗板が横方向外側に向かうに従い漸次下方に傾斜する皿状に形成されていることを特徴とする核燃料貯蔵用ラック。
【発明の詳細な説明】
【技術分野】
【０００１】
本発明は、核燃料貯蔵施設の貯蔵ピット内の水中に、核燃料集合体を収納した状態で貯蔵される核燃料貯蔵用ラックに関し、特に核燃料貯蔵用ラックのロッキングを抑止（防止）するロッキング抑止機構を備えた核燃料貯蔵用ラックに関する。
【背景技術】
【０００２】
例えば原子力発電所で発生した使用済み核燃料（使用済み核燃料棒）は、核燃料貯蔵施設に貯蔵して保管される。また、使用済み核燃料は、図１２に示すように、核燃料集合体として角管内に収容した状態で燃料貯蔵用ラックＡの鉛直セル（ラックセル）１中に収納し、核燃料貯蔵施設２の貯蔵ピット３内に貯蔵される。このとき、貯蔵ピット３には、水が貯留されており、複数の核燃料貯蔵用ラックＡ（核燃料集合体）を整列配置して水中に貯蔵することで、崩壊熱を冷却除去して臨界未満で保持し、また、放射線を遮蔽するようにしている。
【０００３】
さらに、従来、核燃料貯蔵用ラックＡは、サポートを介して貯蔵ピット３の側壁３ａに固定し、サポート及び貯蔵ピット３で支持した状態で貯蔵されている。しかしながら、このように核燃料貯蔵用ラックＡを貯蔵ピット３に固設した場合には、地震発生時に水の流体付加減衰効果によってある程度免震効果を得ることが可能であるが、大地震時にはサポート荷重が大きくなって核燃料貯蔵用ラックＡを支持しきれなくなるおそれがある。
【０００４】
このため、核燃料貯蔵用ラックＡを貯蔵ピット３の側壁３ａや底盤３ｂに固定せずに貯蔵する方法が提案、実用化されている（例えば、特許文献１参照）。この核燃料貯蔵用ラックＡを貯蔵ピット３の側壁３ａや底盤３ｂに固定せずに貯蔵した核燃料貯蔵施設２では、核燃料貯蔵用ラックＡが貯蔵ピット３の底面（底盤）３ｂに相対的に滑動可能に載置され（滑り機構を設けて相対的に滑動可能に載置され）、地震発生時に作用する水平力を水の流体付加減衰効果とともに核燃料貯蔵用ラックＡの滑動によって吸収する。
【０００５】
そして、このように核燃料貯蔵用ラックＡを地震時に滑動させるように構成する場合（すなわち、核燃料貯蔵用ラックＡを自立型ラックとして構成する場合）、核燃料貯蔵用ラックＡは、例えば図１３や図１４に示すように、ベースプレート４と、ベースプレート４の４つのコーナー部側に上端を繋げて下方に突設された４つの支持脚部５と、ベースプレート４の上方に設けられ、複数の鉛直セル（ラックセル）１を収容して保持するセル格納部６とを備えて略方形箱状に形成される。なお、セル格納部６は、図１３に示すように支柱６ａと横材６ｂと斜材（ステー）６ｃを組み付けて形成したり、図１４に示すように支柱６ａと横材６ｂで囲まれた面内に外周板６ｄを設けるなどして形成される。
【先行技術文献】
【特許文献】
【０００６】
【特許文献１】特開２００２−７０９４５号公報
【発明の概要】
【発明が解決しようとする課題】
【０００７】
しかしながら、核燃料貯蔵用ラックＡを地震時に滑動させるように構成した場合には、大地震が発生すると、図１５に示すように貯蔵ピット３に貯蔵した各核燃料貯蔵用ラックＡにロッキングが生じ、貯蔵ピット３内で隣り合う核燃料貯蔵用ラックＡ同士が衝突するおそれがあった。
【０００８】
本発明は、上記事情に鑑み、地震時にロッキングが生じることを防止（抑制）して、核燃料貯蔵用ラック同士の衝突を防止することを可能にした核燃料貯蔵用ラックを提供することを目的とする。
【課題を解決するための手段】
【０００９】
上記の目的を達するために、この発明は以下の手段を提供している。
【００１２】
また、本発明の核燃料貯蔵用ラックは、核燃料集合体を収納した状態で貯蔵ピット内の水中に整列配置して貯蔵される核燃料貯蔵用ラックであって、ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、前記ロッキング抑止機構は、前記ベースプレートに繋がって支持され、前記ベースプレートと前記支持脚部の下端の上下方向の間に配設されるとともに横方向に延設された抵抗板を備えて構成されていることが望ましい。
【００１３】
この発明においては、核燃料貯蔵用ラックに転倒モーメントが作用すると（水平力を受けて核燃料貯蔵用ラックが揺動すると）、抵抗板と支持脚部の下端（下面）が当接する貯蔵ピットの底面の間に流体抵抗が発生して、すなわち、抵抗板と貯蔵ピットの底面の間に負圧を生じさせて、ロッキングを抑止することが可能になる。
【００１４】
さらに、本発明の核燃料貯蔵用ラックは、核燃料集合体を収納した状態で貯蔵ピット内の水中に整列配置して貯蔵される核燃料貯蔵用ラックであって、ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、前記ロッキング抑止機構は、前記支持脚部の下端を横方向外側に延出させるように設けられた抵抗板を備えて構成されていてもよい。
【００１５】
この発明においては、貯蔵ピットの底面に当接する支持脚部の下端（下面）を横方向外側に延出させるように抵抗板が設けられているため、核燃料貯蔵用ラックに転倒モーメントが作用すると、抵抗板と支持脚部の下端が当接する貯蔵ピットの底面の間に流体抵抗を発生させて（抵抗板と貯蔵ピットの底面の間に負圧を生じさせて）、ロッキングを抑止することが可能になる。
【００１６】
また、本発明の核燃料貯蔵用ラックは、核燃料集合体を収納した状態で貯蔵ピット内の水中に整列配置して貯蔵される核燃料貯蔵用ラックであって、ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、前記ロッキング抑止機構は、前記セル格納部に一端を繋げて支持され、前記セル格納部の外面と横方向に隙間をあけて上方に延設された抵抗板を備えて構成されていてもよい。
【００１７】
この発明においては、セル格納部との間に隙間をあけて上方に延出する抵抗板を備えているため、隣り合う核燃料貯蔵用ラックの抵抗板同士を対向させて貯蔵ピットに貯蔵し、また、互いの抵抗板の間の隙間を極力小さくして隣り合う核燃料貯蔵用ラックを貯蔵することにより、核燃料貯蔵用ラックに転倒モーメントが作用すると、互いの抵抗板の間に流体抵抗を発生させて、ロッキングを抑止することが可能になる。また、核燃料貯蔵用ラックが揺動した際に、隣り合う核燃料貯蔵用ラックの抵抗板同士が当たることで、衝撃を吸収する効果も期待できる。
【００１８】
さらに、本発明の核燃料貯蔵用ラックは、核燃料集合体を収納した状態で貯蔵ピット内の水中に整列配置して貯蔵される核燃料貯蔵用ラックであって、ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、前記ロッキング抑止機構は、前記ベースプレートに上端を繋げて下方に突設されるとともに、前記ベースプレートの下方の空間を囲繞するように延設された抵抗板を備えて構成されていてもよい。
【００１９】
この発明においては、抵抗板でベースプレートの下方の水が囲まれているため、核燃料貯蔵用ラックに転倒モーメントが作用すると、抵抗板で囲まれたベースプレートと貯蔵ピットの底面の間に流体抵抗を発生させて（負圧を生じさせて）、ロッキングを抑止することが可能になる。
【００２０】
また、本発明の核燃料貯蔵用ラックは、核燃料集合体を収納した状態で貯蔵ピット内の水中に整列配置して貯蔵される核燃料貯蔵用ラックであって、ベースプレートと、該ベースプレート上に設けられ、前記核燃料集合体を収容する複数のラックセルを格納して保持するセル格納部と、前記ベースプレートに上端を繋げて下方に突設された複数の支持脚部を備えるとともに、水平力を受けて前記核燃料貯蔵用ラックに転倒モーメントが作用すると前記貯蔵ピット内の水の流体抵抗を発生させて前記核燃料貯蔵用ラックのロッキングを抑止するロッキング抑止機構を備え、前記ロッキング抑止機構が、前記ベースプレートに取り付けて、前記核燃料貯蔵用ラックの重心位置を下方に偏心させる重量物を備えて構成されていることが望ましい。
【００２１】
この発明においては、ベースプレートに重量物を取り付けることで、核燃料貯蔵用ラックの重心位置を下方に偏心させることができ、核燃料貯蔵用ラックに転倒モーメントが作用した際に、抵抗板による流体抵抗でロッキングを抑止するとともに、この重量物によって転倒モーメントを小さく抑えることができ、効果的にロッキングを抑止することが可能になる。
【００２２】
さらに、本発明の核燃料貯蔵用ラックにおいては、前記抵抗板が横方向外側に向かうに従い漸次下方に傾斜する皿状に形成されていることが望ましい。
【００２３】
この発明においては、支持脚部の下端を横方向外側に延出させるように設けられた抵抗板が皿状に形成されていることで、貯蔵ピットの底面に吸盤のように抵抗板を当接させることができる。このため、核燃料貯蔵用ラックに転倒モーメントが作用すると、抵抗板と貯蔵ピットの底面の間に大きな流体抵抗（負圧）を生じさせることができ、より効果的にロッキングを抑止することが可能になる。
【発明の効果】
【００２４】
本発明の核燃料貯蔵用ラックによれば、地震時に水平力を受けて核燃料貯蔵用ラックに転倒モーメントが作用するとともに、ロッキング抑止機構によって貯蔵ピット内の水の流体抵抗が発生するため、この流体抵抗によってロッキングを抑止することができる。これにより、核燃料貯蔵用ラックを地震時に滑動させるように構成し、貯蔵ピットの水中に複数の核燃料貯蔵用ラックを整列配置した場合であっても、核燃料貯蔵用ラック同士の衝突、核燃料貯蔵用ラックの貯蔵ピットの側壁への衝突を防止することが可能になる。
【図面の簡単な説明】
【００２５】
【図１】本発明の第１実施形態に係る核燃料貯蔵用ラック（ロッキング抑止機構）を示す図である。
【図２】本発明の第１実施形態に係る核燃料貯蔵用ラックのロッキング抑止機構によってロッキングを抑止する説明に用いた図である。
【図３】本発明の第２実施形態に係る核燃料貯蔵用ラック（ロッキング抑止機構）を示す図である。
【図４】本発明の第２実施形態に係る核燃料貯蔵用ラックのロッキング抑止機構によってロッキングを抑止する説明に用いた図である。
【図５】本発明の第２実施形態に係る核燃料貯蔵用ラック（ロッキング抑止機構）の変形例を示す図であり、支持脚部を短くした核燃料貯蔵用ラックを示す図である。
【図６】本発明の第２実施形態に係る核燃料貯蔵用ラック（ロッキング抑止機構）の変形例を示す図であり、ベースプレートと貯蔵ピットの底面の間の水を囲む抵抗板を備えたロッキング抑止機構を示す図である。
【図７】本発明の第２実施形態に係る核燃料貯蔵用ラック（ロッキング抑止機構）の変形例を示す図であり、重量物を備えたロッキング抑止機構を示す図である。
【図８】図７のロッキング抑止機構によってロッキングを抑止する説明に用いた図である。
【図９】本発明の第２実施形態に係る核燃料貯蔵用ラック（ロッキング抑止機構）の変形例を示す図であり、皿状の抵抗板を備えたロッキング抑止機構を示す図である。
【図１０】本発明の第３実施形態に係る核燃料貯蔵用ラック（ロッキング抑止機構）を示す図である。
【図１１】本発明の第３実施形態に係る核燃料貯蔵用ラックのロッキング抑止機構によってロッキングを抑止する説明に用いた図である。
【図１２】核燃料貯蔵用ラックを貯蔵した核燃料貯蔵施設の貯蔵ピットを示す図である。
【図１３】従来の核燃料貯蔵用ラックを示す図である。
【図１４】従来の核燃料貯蔵用ラックを示す図である。
【図１５】従来の核燃料貯蔵用ラックにロッキングが生じ、隣り合う核燃料貯蔵用ラック同士が衝突した状態を示す図である。
【発明を実施するための形態】
【００２６】
以下、図１及び図２を参照し、本発明の第１実施形態に係る核燃料貯蔵用ラックについて説明する。本実施形態は、例えば原子力発電所で発生した使用済み核燃料を核燃料貯蔵施設の貯蔵ピット内の水中に貯蔵して保管するための核燃料貯蔵用ラックに関するものである。
【００２７】
本実施形態の核燃料貯蔵用ラックＢは、自立型ラックであり、従来の核燃料貯蔵用ラックＡと同様、図１（図１２、図１３参照）に示すように、ベースプレート４と、ベースプレート４に上端を繋げて下方に突設された複数個の支持脚部５と、ベースプレート４上に設けられ、核燃料集合体を収容する複数の鉛直セル（ラックセル）１を格納して保持するセル格納部６とを備えて方形箱状に形成されている。
【００２８】
一方、本実施形態の核燃料貯蔵用ラックＢにおいては、地震時に水平力を受けて核燃料貯蔵用ラックＢに転倒モーメントが作用すると、貯蔵ピット３内の水の流体抵抗を発生させて核燃料貯蔵用ラックＢのロッキングを抑止（防止）するためのロッキング抑止機構７を備えている。
【００２９】
本実施形態のロッキング抑止機構７は、ベースプレート４に上端を繋げて下方に突設された支持部材７ａと、支持部材７ａの下端に繋がって支持され（支持部材７ａを介してベースプレート４に支持され）、横方向（水平方向）Ｔ１に延設された抵抗板７ｂとを備えて構成されている。また、抵抗板７ｂは、ベースプレート４と支持脚部５の下端の上下方向Ｔ２の間に配設されている。すなわち、核燃料貯蔵用ラックＢを貯蔵ピット３内の水中に貯蔵し、支持脚部５が貯蔵ピット３の底面３ｂに当接して支持された状態で、抵抗板７ｂは、貯蔵ピット３の底面３ｂとの間に隙間Ｈ１が設けられるように配設されている。
【００３０】
そして、このようなロッキング抑止機構７を備えた本実施形態の核燃料貯蔵用ラックＢにおいては、地震時に水平力を受けて核燃料貯蔵用ラックＢに転倒モーメントが作用すると（図２に示すように水平力を受けて核燃料貯蔵用ラックＢが揺動すると）、ロッキング抑止機構７によって貯蔵ピット３内の水の流体抵抗が発生する。
【００３１】
すなわち、核燃料貯蔵用ラックＢに転倒モーメントが作用すると、抵抗板７ｂと支持脚部５の下端（下面）が当接する貯蔵ピット３の底面３ｂの間に負圧が生じ、流体抵抗が発生する。
【００３２】
このため、核燃料貯蔵用ラックＢは、ロッキング抑止機構７によって発生した流体抵抗でロッキングが抑止（防止）される。このため、従来のように隣り合う核燃料貯蔵用ラックＢ同士が衝突したり、核燃料貯蔵用ラックＢが貯蔵ピット３の側壁３ａに衝突することが防止される。
【００３３】
したがって、本実施形態の核燃料貯蔵用ラックＢにおいては、地震時に水平力を受けて核燃料貯蔵用ラックＢに転倒モーメントが作用すると、抵抗板７ｂと貯蔵ピット３の底面３ｂの間に流体抵抗が発生して（抵抗板７ｂと貯蔵ピット３の底面３ｂの間に負圧を生じさせて）、ロッキングを抑止することが可能になる。
【００３４】
これにより、核燃料貯蔵用ラックＢを地震時に滑動させるように構成し、貯蔵ピット３の水中に複数の核燃料貯蔵用ラックＢを整列配置した場合であっても、ロッキングによる核燃料貯蔵用ラックＢ同士の衝突、核燃料貯蔵用ラックＢの貯蔵ピット３の側壁３ａへの衝突を防止することが可能になる。
【００３５】
また、抵抗板７ｂの大きさ、形状、すなわち、抵抗板７ｂの横方向Ｔ１への延出長などを調整することによって、ロッキングの抑止効果を自在に調整することも可能である。
【００３６】
以上、本発明に係る核燃料貯蔵用ラックの第１実施形態について説明したが、本発明は上記の第１実施形態に限定されるものではなく、その趣旨を逸脱しない範囲で適宜変更可能である。
【００３７】
次に、図３及び図４を参照し、本発明の第２実施形態に係る核燃料貯蔵用ラックについて説明する。本実施形態は、第１実施形態と同様、ロッキング抑止機構を備えた核燃料貯蔵用ラックに関するものである。このため、第１実施形態と同様の構成に対し同一符号を付して、その詳細な説明を省略する。
【００３８】
本実施形態の核燃料貯蔵用ラックＣは、自立型ラックであり、第１実施形態と同様、図３に示すように、ベースプレート４と、支持脚部５と、セル格納部６と、ロッキング抑止機構８とを備えて構成されている。
【００３９】
一方、本実施形態の核燃料貯蔵用ラックＣのロッキング抑止機構８は、支持脚部５の下端に抵抗板８ａを設けて構成されている。また、抵抗板８ａは、支持脚部５の下端（下面）を横方向Ｔ１外側に延出させるように設けられている。ここで、従来の支持脚部５の下端に取り付いている底板の広さは、鉛直方向荷重に対する構造強度からのみ策定されたものであって、ロッキング防止を目的としていないため、比較的狭いものであった。これに対し、本実施形態の支持脚部５の下端に設ける抵抗板８ａは、水の流体抵抗を発生させてロッキングを防止するためのものであり、従来の支持脚部５の底板よりも大きな広さで形成され、効果的に水の流体抵抗が発生するようにその広さが設定されている。
【００４０】
このようなロッキング抑止機構８（抵抗板８ａ）を備えた本実施形態の核燃料貯蔵用ラックＣにおいては、貯蔵ピット３内に水中に貯蔵した状態で支持脚部５の下端に設けた抵抗板８ａが貯蔵ピット３の底面３ｂに当接して支持される。
【００４１】
そして、地震時に水平力を受けて核燃料貯蔵用ラックＣに転倒モーメントが作用すると（図４に示すように水平力を受けて核燃料貯蔵用ラックＣが揺動すると）、ロッキング抑止機構８によって貯蔵ピット３内の水の流体抵抗が発生する。
【００４２】
すなわち、核燃料貯蔵用ラックＣに転倒モーメントが作用し、貯蔵ピット３の底面３ｂに当接した抵抗板８ａが底面３ｂから離れようとすると、抵抗板８ａと貯蔵ピット３の底面３ｂの間に負圧が生じ、流体抵抗が発生する。
【００４３】
このため、核燃料貯蔵用ラックＣは、ロッキング抑止機構８によって発生した流体抵抗でロッキングが抑止（防止）される。これにより、従来のように隣り合う核燃料貯蔵用ラックＣ同士が衝突したり、核燃料貯蔵用ラックＣが貯蔵ピット３の側壁３ａに衝突することが防止される。
【００４４】
したがって、本実施形態の核燃料貯蔵用ラックＣにおいては、地震時に水平力を受けて核燃料貯蔵用ラックＣに転倒モーメントが作用すると、抵抗板８ａと貯蔵ピット３の底面３ｂの間に流体抵抗が発生して（抵抗板８ａと貯蔵ピット３の底面３ｂの間に負圧を生じさせて）、ロッキングを抑止することが可能になる。
【００４５】
これにより、核燃料貯蔵用ラックＣを地震時に滑動させるように構成し、貯蔵ピット３の水中に複数の核燃料貯蔵用ラックＣを整列配置した場合であっても、ロッキングによる核燃料貯蔵用ラックＣ同士の衝突、核燃料貯蔵用ラックＣの貯蔵ピット３の側壁３ａへの衝突を防止することが可能になる。
【００４６】
また、第１実施形態と同様、抵抗板８ａの大きさ、形状、すなわち、抵抗板８ａの横方向Ｔ１への延出長などを調整することによって、ロッキングの抑止効果を自在に調整することが可能である。
【００４７】
さらに、このように支持脚部５の下端に抵抗板８ａを設けることで、地震時に限らず、通常の貯蔵時における核燃料貯蔵用ラックＣの安定性を高めることが可能になる。
【００４８】
以上、本発明に係る核燃料貯蔵用ラックの第２実施形態について説明したが、本発明は上記の第２実施形態に限定されるものではなく、その趣旨を逸脱しない範囲で適宜変更可能である。例えば、図５に示すように、支持脚部５を短くして抵抗板８ａとベースプレート４、ひいてはベースプレート４と貯蔵ピット３の底面３ｂの隙間Ｈ２を小さくするようにしてもよい。この場合には、地震時に水平力を受けて核燃料貯蔵用ラックＣに転倒モーメントが作用し、支持脚部の下端に設けた抵抗板によって貯蔵ピット３内の水の流体抵抗を発生させ、ロッキングを抑止するとともに、ベースプレートと貯蔵ピットの底面の間にも流体抵抗を発生させることができる。これにより、さらに確実に核燃料貯蔵用ラックのロッキングを抑止（防止）することが可能になる。
【００４９】
また、図６に示すように、ベースプレート４に上端を繋げて下方に突設されるとともに、ベースプレート４の下方の空間を囲繞するように延設された抵抗板８ｂを備えてロッキング抑止機構Ｃを構成してもよい。この場合には、抵抗板８ｂでベースプレート４の下方の水が囲まれるため、核燃料貯蔵用ラックＣに転倒モーメントが作用すると、抵抗板８ｂで囲まれたベースプレート４と貯蔵ピット３の底面３ｂの間に流体抵抗を発生させて（負圧を生じさせて）、ロッキングを抑止することが可能になる。なお、勿論、ベースプレート４の下方の空間を囲繞するように延設された抵抗板８ｂのみでロッキング抑止機構を構成してもよい。
【００５０】
さらに、図７及び図８に示すように、ベースプレート４に取り付けて、核燃料貯蔵用ラックＣの重心位置Ｇを下げる重量物９を備えてロッキング抑止機構８を構成するようにしてもよい。この場合には、重量物９によって核燃料貯蔵用ラックＣの重心位置Ｇが下がることで、核燃料貯蔵用ラックＣに転倒モーメントが作用した際に、抵抗板８ａによる流体抵抗でロッキングを抑止するとともに、この重量物９によっても転倒モーメントを小さく抑えることができ、効果的にロッキングを抑止（防止）することが可能になる。なお、このような重量物９は、ベースプレート４に組み込まれていてもよく、ベースプレート自体の重量を増大させるようにしてもよい。なお、重量物９のみでロッキング抑止機構を構成してもよい。
【００５１】
さらに、上記変更例は、第１実施形態のロッキング抑止機構に適用（併用）してもよく、上記と同様の作用効果を得ることが可能である。
【００５２】
また、図９に示すように、本実施形態の抵抗板８ａを横方向Ｔ１外側に向かうに従い漸次下方に傾斜する皿状に形成してもよい。この場合には、貯蔵ピット３の底面３ｂに吸盤のように抵抗板８ａを当接させることもできる。このため、核燃料貯蔵用ラックＣに転倒モーメントが作用すると、抵抗板８ａと貯蔵ピット３の底面３ｂの間に大きな流体抵抗（負圧）を生じさせることができ、より効果的にロッキングを抑止（防止）することが可能になる。
【００５３】
次に、図１０及び図１１を参照し、本発明の第３実施形態に係る核燃料貯蔵用ラックについて説明する。本実施形態は、第１及び第２実施形態と同様、ロッキング抑止機構を備えた核燃料貯蔵用ラックに関するものである。このため、第１及び第２実施形態と同様の構成に対し同一符号を付して、その詳細な説明を省略する。
【００５４】
本実施形態の核燃料貯蔵用ラックＤは、自立型ラックであり、第１及び第２実施形態と同様、図１０に示すように、ベースプレート４と、支持脚部５と、セル格納部６と、ロッキング抑止機構１０とを備えて構成されている。
【００５５】
一方、本実施形態の核燃料貯蔵用ラックＤのロッキング抑止機構１０は、抵抗板１０ａを備えて構成されている。そして、この抵抗板１０ａは、セル格納部６の上端側に一端を繋げて支持され、セル格納部６の外面と横方向Ｔ１に隙間Ｈ３をあけて上方に延設されている。
【００５６】
このようなロッキング抑止機構１０を備えた本実施形態の核燃料貯蔵用ラックＤにおいては、隣り合う核燃料貯蔵用ラックＤの抵抗板１０ａ同士を対向（対峙）させて貯蔵ピット３に貯蔵され、また、互いの抵抗板１０ａの間に小さな隙間Ｈ４をあけて貯蔵される。
【００５７】
そして、地震時に水平力を受けて核燃料貯蔵用ラックＤに転倒モーメントが作用すると（図１１に示すように水平力を受けて核燃料貯蔵用ラックＤが揺動すると）互いの抵抗板１０ａの間に、貯蔵ピット３内の水の流体抵抗が発生する。
【００５８】
このため、核燃料貯蔵用ラックＤは、ロッキング抑止機構１０によって発生した流体抵抗でロッキングが抑止（防止）される。これにより、従来のように隣り合う核燃料貯蔵用ラックＤ同士が直接的に衝突したり、核燃料貯蔵用ラックＤが直接的に貯蔵ピット３の側壁３ａに衝突することが防止される。
【００５９】
一方、本実施形態のロッキング抑止機構１０では、隣り合う核燃料貯蔵用ラックＤの抵抗板１０ａ同士が当たることになるが、大地震によって核燃料貯蔵用ラックＤが大きく振幅して抵抗板１０ａが当たると、抵抗板１０ａが変形し、エネルギーが吸収される。これにより、さらに確実にロッキングが抑止されることになる。
【００６０】
したがって、本実施形態の核燃料貯蔵用ラックＤにおいては、地震時に水平力を受けて核燃料貯蔵用ラックＤに転倒モーメントが作用すると、抵抗板１０ａ同士の間に流体抵抗が発生して、ロッキングを抑止（防止）することが可能になる。
【００６１】
また、隣り合う核燃料貯蔵用ラックＤの抵抗板１０ａ同士が当たって抵抗板１０ａが変形することにより、エネルギーを吸収することができ、さらに確実にロッキングを抑止することが可能になる。
【００６２】
これにより、核燃料貯蔵用ラックＤを地震時に滑動させるように構成し、貯蔵ピット３の水中に複数の核燃料貯蔵用ラックＤを整列配置した場合であっても、ロッキングによる核燃料貯蔵用ラックＤ同士の衝突、核燃料貯蔵用ラックＤの貯蔵ピット３の側壁３ａへの衝突を防止することが可能になる。
【００６３】
また、抵抗板１０ａの大きさ、形状、すなわち、抵抗板１０ａの上下方向Ｔ２への延出長などを調整することによって、ロッキングの抑止効果を自在に調整することが可能である。また、互いの抵抗板１０ａの間には必ずしも隙間Ｈ４を設けなくてもよい。
【００６４】
以上、本発明に係る核燃料貯蔵用ラックの第３実施形態について説明したが、本発明は上記の第３実施形態に限定されるものではなく、第１及び第２実施形態の変更例を含め、その趣旨を逸脱しない範囲で適宜変更可能である。例えば、本実施形態では、抵抗板１０ａがセル格納部６の上端側に設けられているものとしたが、特に抵抗板１０ａの位置をセル格納部６の上端側に限定する必要はない。
【００６５】
最後、第１〜第３実施形態に示したロッキング抑止機構を適宜選択して併用するようにしてもよい。
【符号の説明】
【００６６】
１      鉛直セル（ラックセル）
２      核燃料貯蔵施設
３      貯蔵ピット
３ａ    側壁
３ｂ    底面（底盤）
４      ベースプレート
５      支持脚部
６      セル格納部
６ａ    支柱
６ｂ    横材
６ｃ    斜材（ステー）
６ｄ    外周板
７      ロッキング抑止機構
７ａ    支柱部
７ｂ    抵抗板
８      ロッキング抑止機構
８ａ    抵抗板
８ｂ    抵抗板
９      重量物
１０    ロッキング抑止機構
１０ａ  抵抗板
Ａ      従来の核燃料貯蔵用ラック
Ｂ      核燃料貯蔵用ラック
Ｃ      核燃料貯蔵用ラック
Ｄ      核燃料貯蔵用ラック
Ｇ      重心位置
Ｇ’    従来の重心位置
Ｈ１    隙間
Ｈ２    隙間
Ｈ３    隙間
Ｈ４    隙間
Ｔ１    横方向（水平方向）
Ｔ２    上下方向
【図１】
0005546262.tif 000002
【図２】
0005546262.tif 000003
【図３】
0005546262.tif 000004
【図４】
0005546262.tif 000005
【図５】
0005546262.tif 000006
【図６】
0005546262.tif 000007
【図７】
0005546262.tif 000008
【図８】
0005546262.tif 000009
【図９】
0005546262.tif 000010
【図１０】
0005546262.tif 000011
【図１１】
0005546262.tif 000012
【図１２】
0005546262.tif 000013
【図１３】
0005546262.tif 000014
【図１４】
0005546262.tif 000015
【図１５】
0005546262.tif 000016